(57)【要約】      （修正有）【課題】複数の情報機器を同時に接続可能で、それぞれの情報機器が有するアプリ情報を一括に表示可能で、アプリケーションの確認を容易にし、当該アプリケーションを起動して使用することも可能にする表示装置、表示システム、表示装置の制御方法および信号処理装置を提供する。【解決手段】複数の情報機器Ａ、Ｂ、Ｃを接続する接続手段と、それぞれの情報機器が有するアプリケーションに応じた表示情報を表示部１５に表示するアプリ表示手段と、表示情報から所望のアプリケーションを選択する選択手段と、選択したアプリケーションを有する情報機器に対して当該アプリケーションの起動指令を発する起動処理手段と、を有する表示装置１とし、この表示装置１の表示システムおよび制御方法とし、これらの各機能を有し、従来のＴＶ装置を用いることが可能な信号処理装置とした。【選択図】図１
2014119876.tif 000002
【特許請求の範囲】
【請求項１】
複数の情報機器を接続する接続手段と、
前記複数の情報機器が有するアプリケーションに関するアプリ情報を取得し、それぞれの前記アプリ情報に応じた一つの表示情報を表示部に表示するアプリ表示手段と、
前記表示部に表示された前記表示情報から所望のアプリケーションを選択する選択手段と、
選択されたアプリケーションを有する情報機器に対して当該アプリケーションの起動指令を発する起動処理手段と、を有することを特徴とする表示装置。
【請求項２】
前記アプリ表示手段は、それぞれの情報機器が有する前記表示情報を同時に表示することを特徴とする請求項１に記載の表示装置。
【請求項３】
前記アプリ情報に基づいて、選択されたアプリケーションに関する前記一つの表示情報以外の他の情報を前記表示部に表示する情報表示手段をさらに有することを特徴とする請求項１または２に記載の表示装置。
【請求項４】
前記アプリ表示手段は、それぞれの情報機器が有するアプリケーションが同一であるか否かを判定し、同じアプリケーションを有していると判定した際には、重複する表示は行わず、いずれか一つのアプリケーションに応じた前記表示情報を選択して表示することを特徴とする請求項１から３のいずれかに記載の表示装置。
【請求項５】
前記アプリ表示手段は、重複するアプリケーションに対して、当該情報機器の性能、使用頻度に応じて、もしくはユーザーが指定する選考基準に応じて、いずれか一つを選択することを特徴とする請求項４に記載の表示装置。
【請求項６】
前記アプリ表示手段は、前記表示情報を前記表示部に表示する際に、それぞれ対応する情報機器毎に区分けされた表示エリア毎に色分けして表示することを特徴とする請求項１から５のいずれかに記載の表示装置。
【請求項７】
前記アプリ表示手段は、選択表示された当該アプリケーションを有する保有元の情報機器の表示画面を前記色分け表示された色と同一色に表示することを特徴とする請求項６に記載の表示装置。
【請求項８】
選択されたアプリケーションが複数の情報機器に保有されており、当該アプリケーションが該当する複数の情報機器を並列使用可能である場合には、前記起動処理手段は、該当する複数の情報機器を同時並列的に使用し起動させることを特徴とする請求項１から７のいずれかに記載の表示装置。
【請求項９】
請求項１から８のいずれかに記載の表示装置に複数の情報機器を接続して構成される表示システムであって、
前記表示装置は、複数の情報機器を接続する接続機能と、
前記複数の情報機器が有するアプリケーションに関するアプリ情報を取得し、それぞれの前記アプリ情報に応じた一つの表示情報を表示部に表示するアプリ表示機能と、
表示部に表示された表示情報から所望のアプリケーションを選択する選択機能と、
選択されたアプリケーションを有する情報機器に対して当該アプリケーションの起動指令を発する起動処理機能と、を有し、
それぞれの情報機器が有するアプリケーションの確認操作と起動処理を可能にすることを特徴とする表示システム。
【請求項１０】
請求項１から８のいずれかに記載の表示装置の制御方法であって、
複数の情報機器を接続する接続工程と、
前記複数の情報機器が有するアプリケーションに関するアプリ情報を取得し、それぞれの前記アプリ情報に応じた一つの表示情報を表示部に表示するアプリ表示工程と、
表示部に表示された表示情報から所望のアプリケーションを選択する選択工程と、
選択されたアプリケーションを有する情報機器に対して当該アプリケーションの起動指令を発する起動処理工程と、
を有し、それぞれの情報機器が有するアプリケーションの確認操作と起動処理を可能にすることを特徴とする表示装置の制御方法。
【請求項１１】
複数の情報機器を接続する接続機能と、
前記複数の情報機器が有するアプリケーションに関するアプリ情報を取得し、それぞれの前記アプリ情報に応じた一つの表示情報を表示装置に表示させるアプリ表示機能と、
前記表示装置に表示された前記表示情報から所望のアプリケーションを選択する選択機能と、
選択されたアプリケーションを有する情報機器に対して当該アプリケーションの起動指令を発する起動処理機能と、を有することを特徴とする信号処理装置。
【発明の詳細な説明】
【技術分野】
【０００１】
本発明は、複数の情報機器が有するアプリ情報を表示して容易に確認して使用可能にする表示装置、表示システム、表示装置の制御方法および信号処理装置に関する。
【背景技術】
【０００２】
近年、多種多様なアプリケーションを備えたスマートフォンなどの高機能通信端末が開発されている。また、タブレットＰＣなどの携帯可能な高機能情報機器（以後タブレット端末と称する）も開発されており、このような情報機器の高機能化に伴って、ユーザーは様々なアプリケーションを利用できるようになっている。
【０００３】
また、一人のユーザーが複数の情報機器を有し、それぞれの機器にそれぞれ異なる複数のアプリケーションを有する例が増加している。そのために、それぞれの機器の性能や容量に応じて、適当なアプリケーションを保有しておき、ユーザーが所望するアプリケーションを実行する際には、該当する機器を用いてアプリ処理を行うことになる。
【０００４】
また、家族同士、仲間同士の間では、自分が所有していなくても他の誰かが所有しているアプリケーションを利用したい場合も生じる。さらに、複数の情報機器の中から所望のアプリケーションを見つけ出して実行する場合には、それぞれの機器が有するアプリ情報を容易に確認できることが好ましいので、スマートフォンなどの携帯端末やタブレット端末などで表示する文字サイズや画像サイズを見易くするために、表示サイズをユーザーが任意に選択できる機能が既に採用されている。
【０００５】
また、テレビ受信装置のデジタル化に伴い、このテレビ受信装置に携帯情報端末などの情報機器を接続してこれらの情報機器が保存するアプリケーション情報や映像データなどを表示させることが行われている。
【０００６】
例えば、ネットワークを介さずに外部表示装置と直接的に接続して内蔵表示部と同じデータを表示するミラー表示モードと、異なるデータを表示させる拡張表示モードが可能な携帯情報処理装置が既に本出願人から提案されている（例えば、特許文献１参照）。
【先行技術文献】
【特許文献】
【０００７】
【特許文献１】特開２０１１−２１７２３６号公報
【発明の概要】
【発明が解決しようとする課題】
【０００８】
それぞれ異なる複数のアプリケーションを有する情報機器を複数台所有することにより、一人のユーザーが多種多様のアプリケーションを利用することができる。しかし、複数台のいずれの情報機器に所望するアプリケーションが保有されているのか一々確認する必要が生じて面倒である。また、携帯通信端末やタブレット端末などの情報機器は小型であり表示画面が小さいため、アプリケーション情報（アプリ情報）を確認することが困難であり、ユーザーが所望するアプリケーションを容易に見つけることができないという問題がある。
【０００９】
特許文献１に記載されているように、従来の方法では、一台の情報機器が保有するアプリケーションを画面の大きな表示装置に表示させることはできるが、複数台の情報機器が有するアプリケーションを一括に表示させることは想定されていない。
【００１０】
そのために、画面の大きな表示装置にそれぞれの情報機器を通信可能に接続して、それぞれの情報機器が有するアプリ情報を容易に確認できる表示システムが好ましく、複雑な操作手順を踏まなくても大きな画面上で容易にアプリ処理が行える制御方法であることが望ましい。
【００１１】
すなわち、複数の情報機器を画面の大きな表示装置に直接接続して、大きな画面上にてアプリ情報を確認できる表示装置および表示システムであることが望ましく、大きな画面上の操作により、所望のアプリケーションを起動させることが可能な制御方法であればさらに好ましい。また、家庭用のＴＶ装置を用いてこのような機能を発揮する信号処理装置であれば、さらに利便性が向上してユーザビリティを確保できる。
【００１２】
本発明は、上記問題点に鑑み、複数の情報機器を同時に接続可能で、それぞれの情報機器が有するアプリ情報を一括に表示可能で、アプリケーションの確認を容易にし、当該アプリケーションを起動して使用することも可能にする表示装置、表示システム、表示装置の制御方法および信号処理装置を提供することを目的とする。
【課題を解決するための手段】
【００１３】
上記目的を達成するために本発明は、複数の情報機器を接続する接続手段と、複数の情報機器が有するアプリケーションに関するアプリ情報を取得し、それぞれのアプリ情報に応じた一つの表示情報を表示部に表示するアプリ表示手段と、表示情報から所望のアプリケーションを選択する選択手段と、選択されたアプリケーションを有する情報機器に対して当該アプリケーションの起動指令を発する起動処理手段と、を有する表示装置としたことを特徴としている。
【００１４】
この構成によると、複数の情報機器を同時に接続可能で、それぞれの情報機器が有するアプリケーションに応じた情報を一括に表示可能で、アプリケーションの確認を容易にし、当該アプリケーションを起動して使用することも可能にする表示装置を得ることができる。
【００１５】
また本発明は上記構成の表示装置において、前記アプリ表示手段は、それぞれの情報機器が有する表示情報を同時に表示することを特徴としている。この構成によると、表示装置の大きな画面上に、それぞれの情報機器が有するアプリケーションを同時に一括に表示して容易に確認することができる。
【００１６】
また本発明は上記構成の表示装置において、前記アプリ情報に基づいて、選択されたアプリケーションに関する前記一つの表示情報以外の他の情報を表示部に表示する情報表示手段をさらに有することを特徴としている。この構成によると、表示装置の表示部に、複数の情報機器が有するアプリケーションの情報を表示して確認できると共に、そのアプリ情報も確認できるので、所望するアプリか否かを容易に確認でき、大きな画面上の操作により、所望するアプリケーションの起動も開始することが可能になる。
【００１７】
また本発明は上記構成の表示装置において、前記アプリ表示手段は、それぞれの情報機器が有するアプリケーションが同一であるか否かを判定し、同じアプリケーションを有していると判定した際には、重複する表示は行わず、いずれか一つのアプリケーションに応じた表示情報を選択して表示することを特徴としている。この構成によると、表示部に複数の情報機器が有するアプリケーションを効率よく表示でき、利用可能なアプリケーションを容易に確認できる。
【００１８】
また本発明は上記構成の表示装置において、前記アプリ表示手段は、重複するアプリケーションに対して、当該情報機器の性能、使用頻度に応じて、もしくはユーザーが指定する選考基準に応じて、いずれか一つを選択することを特徴としている。この構成によると、同一のアプリケーションを複数の情報機器が有している場合には、使い勝手の良い一つの情報機器を選択して表示できるので、ユーザーにとって使用勝手がよくなりユーザビリティが向上する。
【００１９】
また本発明は、上記構成の表示装置において、前記アプリ表示手段は、前記表示情報を前記表示部に表示する際に、それぞれ対応する情報機器毎に区分けされた表示エリア毎に色分けして表示することを特徴としている。この構成によると、表示装置に接続されている情報機器を容易に認識できる。また、所望のアプリケーションがどの情報機器が有するかも確認できる。
【００２０】
また本発明は、上記構成の表示装置において、前記アプリ表示手段は、選択表示された当該アプリケーションを有する保有元の情報機器の表示画面を前記色分け表示された色と同一色に表示することを特徴としている。この構成によると、表示部に表示された領域と、この領域に対応する情報機器とを容易に認識できて、所望のアプリケーションがどの情報機器が有するアプリケーションかを容易に確認できる。
【００２１】
また本発明は、上記構成の表示装置において、選択されたアプリケーションが複数の情報機器に保有されており、当該アプリケーションが該当する複数の情報機器を並列使用可能である場合には、前記起動処理手段は、該当する複数の情報機器を同時並列的に使用し起動させることを特徴としている。この構成によると、複数の情報機器を有効に活用できるので、ユーザビリティがさらに向上する。
【００２２】
また、本発明は、上記構成の表示装置に複数の情報機器を接続して構成される表示システムであって、前記表示装置は、複数の情報機器を接続する接続機能と、複数の情報機器が有するアプリケーションに関するアプリ情報を取得し、それぞれのアプリ情報に応じた一つの表示情報を表示部に表示するアプリ表示機能と、表示部に表示された表示情報から所望のアプリケーションを選択する選択機能と、選択されたアプリケーションを有する情報機器に対して当該アプリケーションの起動指令を発する起動処理機能と、を有し、それぞれの情報機器が有するアプリケーションの確認操作と起動処理を可能にすることを特徴としている。
【００２３】
この構成によると、表示装置の大きな表示画面に、それぞれの情報機器が有するアプリケーションを表示し、所望のアプリケーションを用いた処理を容易に行うことが可能になる。すなわち、本発明によれば、複数の情報機器を同時に接続可能で、それぞれの情報機器が有するアプリ情報を一括に表示可能で、アプリケーションの確認を容易にし、当該アプリケーションを起動させることが可能になる表示システムを得ることができる。
【００２４】
また本発明は、上記構成の表示装置の制御方法であって、複数の情報機器を接続する接続工程と、複数の情報機器が有するアプリケーションに関するアプリ情報を取得し、それぞれのアプリ情報に応じた一つの表示情報を表示部に表示するアプリ表示工程と、表示部に表示された表示情報から所望のアプリケーションを選択する選択工程と、選択されたアプリケーションを有する情報機器に対して当該アプリケーションの起動指令を発する起動処理工程と、を有し、それぞれの情報機器が有するアプリケーションの確認操作と起動処理を可能にすることを特徴としている。
【００２５】
この構成によると、接続工程を介して複数の情報機器を同時に接続可能となり、画像表示工程を介してそれぞれの情報機器が有するアプリケーションを表示可能となり、記憶工程と選択工程と情報表示工程とを介して所望のアプリケーションを確認可能となり、起動処理工程を介して所望のアプリケーションの使用が可能になる表示装置の制御方法を得ることができる。
【００２６】
また、本発明は、複数の情報機器を接続する接続機能と、複数の情報機器が有するアプリケーションに関するアプリ情報を取得し、それぞれのアプリ情報に応じた一つの表示情報を表示装置に表示させるアプリ表示機能と、表示装置に表示された表示情報から所望のアプリケーションを選択する選択機能と、選択されたアプリケーションを有する情報機器に対して当該アプリケーションの起動指令を発する起動処理機能と、を有する信号処理装置としたことを特徴としている。この構成によると、例えば、家庭用のＴＶ装置を用いて、複数の情報機器が有するアプリケーションを同時に表示して容易に確認でき、所望のアプリを容易に使用できる。すなわち、本発明によれば、複数の情報機器を同時に接続可能で、それぞれの情報機器が有するアプリ情報をＴＶ装置に表示して、アプリケーションの確認を容易にし、当該アプリケーションを起動させることが可能になる信号処理装置を得ることができる。
【発明の効果】
【００２７】
本発明によれば、複数の情報機器を同時に接続可能で、それぞれの情報機器が有するアプリ情報を一括に表示可能で、アプリケーションの確認を容易にし、当該アプリケーションを起動させることも可能にする表示装置、表示システム、表示装置の制御方法および信号処理装置を得ることができる。
【図面の簡単な説明】
【００２８】
【図１】本発明に係る表示装置とこの表示装置に接続される情報機器との接続構成を示すブロック図である。
【図２】本発明の第１実施形態における表示装置と情報機器のＧＵＩ表示を示す概略説明図である。
【図３Ａ】第１実施形態の表示装置に複数の情報機器を接続して画面表示するまでの制御手順を示すフローチャートである。
【図３Ｂ】図３Ａにおいて表示されたアプリを選択処理する制御手順を示すフローチャートである。
【図４】本発明の第２実施形態における表示装置と情報機器のＧＵＩ表示を示す概略説明図である。
【図５】本発明の第３実施形態における表示装置と情報機器のＧＵＩ表示を示す概略説明図である。
【図６Ａ】第３実施形態の表示装置に複数の情報機器を接続して画面表示するまでの制御手順を示すフローチャートである。
【図６Ｂ】図６Ａにおいて表示されたアプリを選択処理する制御手順を示すフローチャートである。
【図７】本発明の第４実施形態における表示装置と情報機器のＧＵＩ表示を示す概略説明図である。
【図８Ａ】第４実施形態の表示装置に複数の情報機器を接続して画面表示するまでの制御手順を示すフローチャートである。
【図８Ｂ】図８Ａにおいて表示されたアプリを選択処理する制御手順を示すフローチャートである。
【図９】本発明の第５実施形態における表示装置と情報機器のＧＵＩ表示を示す概略説明図である。
【図１０Ａ】第５実施形態の表示装置に複数の情報機器を接続して画面表示するまでの制御手順を示すフローチャートである。
【図１０Ｂ】図１０Ａにおいて表示されたアプリを選択処理する制御手順を示すフローチャートである。
【図１１】本発明に係る表示装置を備えたＴＶ装置と情報機器との接続構成を示すブロック図である。
【図１２】本発明に係る信号処理装置と情報機器とＴＶ装置の接続構成を示すブロック図である。
【発明を実施するための形態】
【００２９】
以下に本発明の実施形態を図面を参照して説明するが、本発明はこれにより何ら制限されるものではない。また、同一構成部材については同一の符号を用い、重複する説明は適宜省略する。まず本実施形態に係る表示装置および表示システムの構成について、図１を用いて説明する。
【００３０】
本実施形態に係る表示システムは、図１に示すように、表示装置１に複数の情報機器（例えば、情報機器Ａ、情報機器Ｂ、情報機器Ｃの３台）を同時に通信可能に接続して、それぞれの情報機器が有するアプリケーションを表示装置１の大きな画面上に同時に表示して、容易に確認できるようにし、さらに、この大きな画面上の操作により容易にアプリ処理ができるようにしたものである。
【００３１】
情報機器Ａ、Ｂ、Ｃは、例えば、スマートフォンやタブレット端末や、その他の携帯可能な高機能情報機器であって、それぞれ複数のアプリケーションを有する。
【００３２】
表示装置１は、無線通信部１１、有線通信部１２、メイン制御部１３（ＣＰＵ）、記憶部１４、映像表示部１５（本発明の表示部に相当）、音声出力部１６を有する。無線通信部１１は近距離無線通信が可能であればよく、例えば、無線ＬＡＮ（ＷｉＬＡＮやＷｉＦｉ）やBluetooth（登録商標）やＺｉｇＢｅｅ（登録商標）などの無線通信方式を採用することができる。
【００３３】
また、表示装置１は、無線通信部１１に加えて有線通信部１２も有する。この有線通信部１２は、例えば、ＵＳＢ規格に応じた有線通信方式であるが、ＨＤＭＩ（ハイデフニッションマルチメディアインタフェース）方式やＭＨＬ（モバイルハイデフニションリンク）方式でも、ＤｉｓｐｌａｙＰｏｒｔ規格に応じた有線通信方式でも、Ｔｈｕｎｄｅｒｂｏｌｔ規格に応じた有線通信方式であってもよい。そのため、表示装置１は、情報機器Ａおよび情報機器Ｃとは無線通信部１１を介して通信可能に接続され、情報機器Ｂとは有線通信部１２を介して通信可能に接続され、同時に複数台（３台）の情報機器に接続可能とされる。
【００３４】
そして、表示装置１に情報機器Ａ、Ｂ、Ｃが有するアプリケーションに応じた表示情報（例えば、名称やアイコンなど）を同時に表示している。さらに、表示した表示情報から所望のアプリケーションを選択して実行処理を行うことも可能にしている。すなわち、それぞれの情報機器Ａ、Ｂ、Ｃの小さな画面ではなく、表示装置１の大きな画面上で、アプリケーションの確認と選択と処理開始の制御が可能なシステムである。
【００３５】
例えば、入力受信部１７を介してメイン制御部１３と通信可能なリモコンやポインタなどの入力装置１８を用いて、表示装置１の画面上において、カーソル操作やポインタ操作を行うことにより、所定のアプリケーションの確認と選択と起動処理を行うことが可能である。そのために、ユーザーにとってアプリ確認とアプリ処理が容易となりユーザビリティに優れた表示装置１を提供できる。
【００３６】
すなわち、本実施形態に係る表示装置１は、無線通信部１１と有線通信部１２を介して複数の情報機器Ａ、Ｂ、Ｃを接続する接続手段と、複数の情報機器が有するアプリケーションに関するアプリ情報を取得し、それぞれのアプリ情報に応じた一つの表示情報を表示部１５に表示するアプリ表示手段と、表示部１５に表示された表示情報から所望のアプリケーションを選択する選択手段と、選択したアプリケーションを有する情報機器に対して当該アプリケーションの起動指令を発する起動処理手段と、を有する。
【００３７】
この構成であれば、表示装置１に複数の情報機器Ａ、Ｂ、Ｃを接続することにより、表示装置１の大きな画面上に、それぞれの情報機器が有するアプリケーションに応じた表示情報を同時に表示して容易に確認できる。また、大きな画面上の操作により、使用したいアプリケーションを選択でき、所望するアプリケーションの起動も開始することが可能になる。すなわち、複数の情報機器Ａ、Ｂ、Ｃを同時に接続可能で、それぞれの情報機器Ａ、Ｂ、Ｃが有するアプリケーションを同時に表示して、容易に確認し、当該アプリケーションを起動して使用することも可能になる。
【００３８】
また、それぞれの情報機器Ａ、Ｂ、Ｃが有する表示情報を一括に表示する情報表示手段をさらに備えた構成であれば、表示装置１の表示部１５に、複数の情報機器Ａ、Ｂ、Ｃが有するアプリケーションの情報を一括に表示して、使用可能な全てのアプリケーションを確認できる。従って、所望するアプリケーションを容易にまた確実に見つけ出すことが可能になり、大きな画面上の操作により、所望するアプリケーションを起動させることが可能になる。
【００３９】
次に、複数の情報機器を同時に接続して、それぞれの情報機器が保有するアプリケーションに対応した表示情報を一括に表示する構成の第１実施形態と、表示された表示情報を選択するとアプリ情報が全て表示される構成の第２実施形態と、複数の情報機器を同時に接続して、それぞれの情報機器が保有するアプリケーションが同一であるか否かを判定して、重複するアプリケーションはいずれか一つのみを選択して表示する構成の第３実施形態と、同一のアプリを有する複数の情報機器を併用する構成の第４実施形態と、情報機器毎に区分けされた表示エリア毎に色分けして表示する構成の第５実施形態についてそれぞれ説明する。
【００４０】
〈第１実施形態〉
まず、図２を用いて第１実施形態の表示装置１Ａおよび表示システムについて説明する。図２は、本発明の第１実施形態における表示装置１Ａと情報機器のＧＵＩ表示を示す概略説明図である。ＧＵＩ表示は、グラフィカルユーザインタフェース表示であって、画面上の画像などを選択する事でリアクションを発生させることができ、視認性、操作性に優れ、直感的な操作が可能なものである。
【００４１】
図２に示す第１実施形態の表示システムＤＳ１は、表示装置１Ａに情報機器Ａ、情報機器Ｂ、情報機器Ｃの３台の情報機器を同時に接続して構成される。すなわち、本実施形態は、表示装置１Ａの表示部１５に複数の情報機器Ａ、Ｂ、Ｃが有するアプリケーションに関するアプリ情報に応じた一つの表示情報（例えば、名称やアイコンなど）を一括に表示して、アプリケーションの確認と選択と処理操作ができるようにしたものである。
【００４２】
表示装置１Ａは図１に示す表示装置１と同様に無線通信部１１と有線通信部１２を有しており、それぞれの通信部は、それぞれ複数の情報機器を同時に接続可能とされる。例えば、図２には、情報機器Ａと情報機器Ｃが無線通信方式により接続され、情報機器Ｂが有線通信方式にて接続された状態を示す。
【００４３】
また、接続した後には、表示部１５に、それぞれの情報機器Ａ、Ｂ、Ｃが保有するアプリケーションに対応した表示情報（例えば、アイコン）を一括に表示する構成としている。すなわち、情報機器Ａ、Ｂ、Ｃの表示画面に表示させた情報がそのまま表示される。例えば、情報機器Ａが有するアプリケーションに対応したアイコン画像ａ１〜ａ６、情報機器Ｂが有するアプリケーションに対応したアイコン画像ａ７〜ａ１１、情報機器Ｃが有するアプリケーションに対応したアイコン画像ａ１２〜ａ１４を表示部１５に一括に表示する。そのためユーザーは、この表示内容から、この３台の情報機器Ａ、Ｂ、Ｃが有する使用可能なアプリケーションを容易に認識することが可能になる。
【００４４】
そして、表示装置１Ａは、それぞれの情報機器Ａ、Ｂ、Ｃから、それぞれのアプリケーションに関する情報を取得して記憶する。そのために、表示部１５に表示したアイコン画像に対応するアプリケーション情報を必要に応じて確認することが可能になる。
【００４５】
次に、この第１実施形態の表示装置１Ａの制御方法について、図３Ａ、図３Ｂに示すフローチャートを用いて説明する。図３Ａは、第１実施形態の表示装置に複数の情報機器を接続して画面表示するまでの制御手順を示すフローチャートであり、図３Ｂは、図３Ａにおいて表示されたアプリを選択処理する制御手順を示すフローチャートである。
【００４６】
図３Ａに示すように、表示装置１Ａに情報機器Ａ、Ｂ、Ｃを接続する処理を開始すると、情報機器を接続する手段を介してそれぞれの情報機器を接続してステップＳ１の新しい機器が接続されたか否かを確認する（接続工程）。
【００４７】
ステップＳ１で、新しい情報機器が接続されたことが確認されると図のＹ方向に進み、ステップ２の、機器に登録されている全てのアプリケーションについての情報を取得する処理を行う。ここでいうアプリケーションについての情報とは、当該アプリケーションに応じた表示情報であり、また、アプリケーションの種類や属性になどの当該アプリケーションを特定する情報（アプリ情報）であって、名称、アイコン画像、アプリケーション内容の説明、提供元の機器名称などを含む。
【００４８】
ステップＳ１で、新たに接続する情報機器が確認されない場合には図のＮ方向に進み、再度ステップＳ１に戻る。また、ステップＳ２で、アプリケーションについての情報を取得した後、取得したアプリ情報に応じた一つの表示情報を表示する（ステップＳ３）。また、表示装置１Ａは、これらの表示情報（例えば、アイコン画像）と対応させてそれぞれのアプリ情報の全てを記憶している。
【００４９】
このステップＳ３では、表示装置１Ａ（例えばＴＶ装置）に既に登録されているアプリ情報と新規に登録したアプリ情報を統合して表示順を決定する処理を行い、決定された順に表示するようにしている。
【００５０】
例えば、表示装置１Ａに情報機器Ａ、Ｂ、Ｃをこの順に接続すると、図２に示すように、情報機器Ａが有するアイコン画像ａ１〜ａ６、情報機器Ｂが有するアイコン画像ａ７〜ａ１１、情報機器Ｃが有するアイコン画像ａ１２〜ａ１４を、この順に表示する。
【００５１】
また、複数のアプリ情報を、例えばジャンル別に区分けした表示順としてもよく、アプリ使用頻度やアプリ導入日に応じた順に表示する表示順であってもよく、ユーザーの求める好ましい表示順に予め決められることが好ましい。
【００５２】
この図３Ａに示す制御手順は、表示装置１Ａと複数の情報機器とを接続して、画面表示するまでの接続工程と表示工程であり、この両工程の後、アプリケーション確認工程と選択工程と処理工程などを行うことになる。
【００５３】
上記のステップＳ１〜Ｓ３の処理の後、表示装置１Ａの表示部１５には、情報機器Ａ、Ｂ、Ｃが有するアプリケーションに対応した表示情報（例えば、アイコン画像）が一括に表示される。
【００５４】
それから、図３Ｂに示すような、ユーザーによる操作に応じてメイン制御部１３が選択処理する処理が実行される。
【００５５】
まず、ユーザーが表示装置１Ａの画面操作により、所望のアプリケーションに対応したアイコン画像を選択すると、メイン制御部１３は、ステップＳ１１の、ユーザーがアプリケーションを選択したか否かを検知する処理を実行し、ユーザーがアプリケーションを選択したことを確認すると図のＹ方向に進み、ステップＳ１２の選択工程と起動処理工程を実行する。
【００５６】
すなわち、このステップＳ１２では、アイコン画像に対応して記憶されているアプリ情報（すなわち、紐付けられている情報）から、提供元の機器を特定し、機器に対する実行命令を出す処理が実行される。また、ステップＳ１１で、ユーザーがアプリケーションを選択したことが確認されないと図のＮ方向に進み、再度ステップＳ１１に戻る。
【００５７】
また、選択したアプリが既に他の機器において作動中である可能性もあるので、ステップＳ１３にて、既に別の機器のアプリケーションが作動中か否かを確認する処理を行い、別の機器のアプリケーションが作動中であることが確認されると図のＹ方向に進んで、ステップＳ１４の、既に作動中の機器に対して停止命令を出すとよい。
【００５８】
ステップＳ１３で、別の機器のアプリケーションが作動中であることが確認されない場合には図のＮ方向に進み、処理が終了する。
【００５９】
〈第２実施形態〉
次に、図４を用いて第２実施形態の表示装置１Ｂおよび表示システムＤＳ２について説明する。図４は、本発明の第２実施形態における表示装置１Ｂと情報機器のＧＵＩ表示を示す概略説明図である。
【００６０】
図４に示すように、例えば、表示部１５に表示された多数のアイコン画像の中からアイコン画像ａ２を選択する（例えば、ポインタＰをアイコン画像ａ２の上に置く）と、このアイコン画像に対応して記憶されているアプリ情報が全て表示される構成としている。すなわち、第２実施形態の表示装置１Ｂは、表示したアイコン画像に対応して全てのアプリ情報を記憶していると共に、表示部１５上で選択したアイコン画像に対応したアプリ情報を表示する。これにより、ユーザーは、このアプリが自分が所望しているアプリか否かを確認できる。
【００６１】
また、第２実施形態の表示システムＤＳ２は、表示装置１Ｂに情報機器Ａ、情報機器Ｂ、情報機器Ｃの３台の情報機器を同時に接続して、表示装置１Ｂの表示部１５に情報機器Ａ、Ｂ、Ｃが有するアプリケーションに関するアプリ情報に応じた一つの表示情報を一括に表示して、アプリケーションの確認と選択と処理操作ができるようにしている点は、前述した表示システムＤＳ１と同じである。ただし、表示部１５上で選択したアイコン画像に対応したアプリ情報の他の情報を表示して確認可能にしている点が異なる。
【００６２】
そのために、第２実施形態の表示システムＤＳ２によれば、選択したアプリケーションの名称、アイコン画像、アプリケーション内容の説明、提供元の機器名称などを含むアプリ情報を、大きな画面上で確認できて、ユーザーにとって視認容易で操作容易なアプリ処理システムを構築できるものである。
【００６３】
この操作は、前述した入力装置１８を用いて行うカーソル操作やポインタ操作を介して所定のアイコン画像を選択することにより実行される。例えば、図中に、ポインタＰを示しており、このポインタＰを入力装置１８を用いて操作することにより、特定のアプリケーションを選択してその内容を確認することや、実際に当該アプリケーションを起動させて処理操作することが可能になっている。
【００６４】
〈第３実施形態〉
次に、図５を用いて第３実施形態の表示装置１Ｃおよび表示システムＤＳ３について説明する。図５は、本発明の第３実施形態における表示装置１Ｃと情報機器のＧＵＩ表示を示す概略説明図である。
【００６５】
図５に示す第３実施形態の表示システムＤＳ３は、表示装置１Ｃに情報機器Ａ、情報機Ｂ、情報機器Ｃの３台の情報機器を同時に接続して、表示装置１Ｃの表示部１５に情報機器Ａ、Ｂ、Ｃが有するアプリケーションに関するアプリ情報に応じた表示情報を同時に表示して、アプリケーションの確認と選択と処理操作ができるようにしている点は、前述した表示システムＤＳ１と同じである。ただし、表示部１５に表示する際に、重複するアプリケーションがあるか否かを確認し、重複したアプリケーションがあれば、重複する表示は行わず、いずれか一つを選択して表示する構成にしている点が異なる。
【００６６】
すなわち、第３実施形態の表示装置１Ｃは、それぞれの情報機器が有するアプリケーションが同一であるか否かを判定し、同じアプリケーションを有していると判定した際には、重複する表示は行わず、いずれか一つのアプリケーションに応じた表示情報を選択して表示する機能を有する。従って、表示装置１Ｃが有するアプリ表示手段は、それぞれの情報機器が有するアプリケーションが同一であるか否かを判定する判定機能と、同じアプリケーションを有していると判定した際には、重複する表示は行わず、いずれか一つを選択して表示する選択表示機能を有する。この構成であれば、表示部１５に複数の情報機器Ａ、Ｂ、Ｃが有するアプリケーションを効率よく表示でき、好適に利用可能なアプリケーションを容易に確認できる。
【００６７】
例えば、図５に示すように、情報機器Ａは、アイコン画像ａ１〜ａ６に対応する６個のアプリケーションを有し、情報機器Ｂは、アイコン画像ａ５〜ａ９に対応する５個のアプリケーションを有し、情報機器Ｃは、アイコン画像ａ８〜ａ１０に対応した３つのアプリケーションを有している。
【００６８】
すなわち、情報機器Ａと情報機器Ｂとは、アイコン画像ａ５およびａ６に対応する２個の同じアプリケーションを有し、同じく、情報機器Ｂと情報機器Ｃとは、アイコン画像ａ８およびａ９に対応する２個の同じアプリケーションを有する。
【００６９】
そこで、表示装置１Ｃは、前述した判定機能と選択表示機能を有するアプリ表示手段を介して、重複する表示は行わず、いずれか一つを選択して表示する構成としている。また、この選択表示機能は、重複するアプリケーションを有する当該情報機器の性能、使用頻度に応じて、もしくはユーザーが指定する選考基準に応じて、いずれか一つを選択することが好ましい。
【００７０】
この構成であれば、同一のアプリケーションを複数の情報機器が有している場合には、使い勝手の良い一つの情報機器を選択して表示できるので、ユーザーにとって使用勝手がよくなりユーザビリティが向上する。また、ユーザーの指定を優先させてユーザーの指定に応じていずれかを選択することや、情報機器の性能や使用頻度を優先させて、ユーザーの指定に拘らずに、情報機器の性能、使用頻度に応じていずれかの情報機器を選択して表示することが可能になるので、ユーザーにとって使用勝手がよくなりユーザビリティが向上する。
【００７１】
次に、この第３実施形態の表示装置１Ｃの制御方法について、図６Ａ、図６Ｂに示すフローチャートを用いて説明する。図６Ａは、第３実施形態の表示装置に複数の情報機器を接続して画面表示するまでの制御手順を示すフローチャートであり、図６Ｂは、図６Ａにおいて表示されたアプリを選択処理する制御手順を示すフローチャートである。
【００７２】
図６Ａに示すように、表示装置１Ｃに情報機器Ａ、Ｂ、Ｃを接続する処理を開始すると、情報機器を接続する手段を介してそれぞれの情報機器を接続してステップＳ２１の新しい機器が接続されたか否かを確認する（接続工程）。
【００７３】
ステップＳ２１で、新しい情報機器が接続されたことが確認されると図のＹ方向に進み、ステップ２２の、機器に登録されている全てのアプリケーションについての情報を取得する処理を行う。ここでいうアプリケーションについての情報とは、当該アプリケーションに応じた表示情報であり、また、アプリケーションの種類や属性などの当該アプリケーションを特定する情報（アプリ情報）であって、名称、アイコン画像、アプリケーション内容の説明、提供元の機器名称などを含む。
【００７４】
ステップ２１で、新たに接続する情報機器が確認されない場合には図のＮ方向に進み、再度ステップ２１に戻る。また、ステップＳ２２で、アプリケーションについての情報を取得した後、取得したアプリケーションに応じた表示情報を表示する（ステップＳ２３）。また、表示装置１Ｃは、これらの表示情報（例えば、アイコン画像）と対応させてそれぞれのアプリ情報を記憶している。
【００７５】
このステップＳ２３では、表示装置１Ｃ（例えばＴＶ装置）に既に登録されているアプリ情報と新規に登録したアプリ情報を統合して表示順を決定する処理、および、新規に取得したアプリケーションが既存のものと重複しているか否かの判定と、重複している場合には、予め定めた優先度に応じて一つのアプリケーションのみを表示する処理を行うようにしている。
【００７６】
この優先度は前述したように、重複するアプリケーションを有する当該情報機器の性能、使用頻度（表示装置：例えばＴＶ装置に接続する回数でもよい）に応じて、もしくはユーザーが指定する選考基準に応じて、予め定めておくとよい。
【００７７】
すなわち、表示装置１Ｃに情報機器Ａ、Ｂ、Ｃをこの順に接続すると、図５に示すように、情報機器Ａが有するアイコン画像ａ１〜ａ６、情報機器Ｂが有するアイコン画像ａ５〜ａ９、情報機器Ｃが有するアイコン画像ａ８〜ａ１０から、重複するアプリケーションを判定して、いずれか一つを選択してアイコン画像ａ１〜ａ１０の順に表示する。
【００７８】
この図６Ａに示す制御手順は、表示装置１Ｃと複数の情報機器とを接続して、画面表示するまでの接続工程と表示工程であり、この両工程の後、アプリケーション確認工程と選択工程と処理操作工程などを行うことになる。
【００７９】
上記のステップＳ２１〜Ｓ２３の処理の後、表示装置１Ｃの表示部１５には、情報機器Ａ、Ｂ、Ｃが有するアプリケーションに対応した表示情報（例えば、アイコン画像）が重複しないように一括に表示される。
【００８０】
それから、図６Ｂに示すような、ユーザーによる操作に応じてメイン制御部１３が選択処理する処理が実行される。
【００８１】
まず、ユーザーが表示装置１Ｃの画面操作により、所望のアプリケーションに対応したアイコン画像を選択すると、メイン制御部１３は、ステップＳ３１の、ユーザーがアプリケーションを選択したか否かを検知する処理を実行し、ユーザーがアプリケーションを選択したことを確認すると図のＹ方向に進み、ステップＳ３２の選択工程と起動処理工程を実行する。
【００８２】
すなわち、このステップＳ３２では、アイコン画像に対応して記憶されているアプリ情報（すなわち、紐付けられている情報）から、提供元の機器を特定し、機器に対する実行命令を出す処理が実行される。また、ステップＳ３１で、ユーザーがアプリケーションを選択したことが確認されないと図のＮ方向に進み、再度ステップＳ３１に戻る。
【００８３】
また、選択したアプリが既に他の機器において作動中である可能性もあるので、ステップＳ３３にて、既に別の機器のアプリケーションが作動中か否かを確認する処理を行い、別の機器のアプリケーションが作動中であることが確認されると図のＹ方向に進んで、ステップＳ３４の、既に作動中の機器に対して停止命令を出すとよい。
【００８４】
ステップＳ３３で、別の機器のアプリケーションが作動中であることが確認されない場合には図のＮ方向に進み、処理が終了する。
【００８５】
〈第４実施形態〉
次に、図７を用いて第４実施形態の表示装置１Ｄおよび表示システムＤＳ４について説明する。図７は、本発明の第４実施形態における表示装置１Ｄと情報機器のＧＵＩ表示を示す概略説明図である。
【００８６】
図７に示す第４実施形態の表示システムＤＳ４は、表示装置１Ｄに情報機器Ａ、情報機Ｂ、情報機器Ｃの３台の情報機器を同時に接続して、表示装置１Ｄの表示部１５に情報機器Ａ、Ｂ、Ｃが有するアプリケーションを重複する表示は行わず、いずれか一つを選択して表示して、アプリケーションの確認と選択と処理操作ができるようにしている点は、前述した表示システムＤＳ３と同じである。ただし、重複する同一のアプリケーションを有する複数の情報機器を併用して処理操作可能にしている点が異なる。
【００８７】
すなわち、第４実施形態の表示装置１Ｄは、選択されたアプリケーションを複数台の情報機器を併用して処理操作させた方が良いか否かを判断する併用判断機能を有し、複数台の情報機器を併用して処理操作させた方が良いと判断した際には、所定の情報機器を主情報機器として中心的に使用し、他の情報機器を副情報機器として補佐的に使用するようにしている。
【００８８】
例えば、図７には、選択したアプリケーションがサーバ２から映像データをダウンロードし再生させる処理操作アプリである場合に、情報機器Ａ、情報機器Ｂ、情報機器Ｃを同時に用いると共に、情報機器Ａを主情報機器として選択し、情報機器Ｂと情報機器Ｃを副情報機器として選択した例を示している。
【００８９】
すなわち、情報機器Ａ、Ｂ、Ｃは全てサーバ２から映像データをダウンロードし再生させる処理操作アプリを有しているが、前述したように予め定められた選考基準に応じて情報機器Ａが主情報機器として選択され、他の情報機器Ｂ、Ｃが副情報機器として選択される場合を示している。
【００９０】
このように、表示装置１Ｄは、選択されたアプリケーションが複数の情報機器に保有されており、当該アプリケーションが該当する複数の情報機器を並列使用可能である場合には、該当する複数の情報機器を同時並列的に使用し起動させることができる。すなわち、表示装置１Ｄが有する起動処理手段は、複数の情報機器を同時並列的に使用し起動させる並列処理機能を備えることが好ましい。この構成であれば、複数の情報機器を有効に活用できるので、ユーザビリティがさらに向上する。
【００９１】
例えば、映像データをダウンロードし再生させる処理の場合には、情報機器Ａ、Ｂ、Ｃを並列使用して、サーバ２から並列ダウンロードし、情報機器Ａに集約して再生処理するとよい。この時、再生された映像は表示装置１Ｄの大画面に表示される。すなわち、情報機器Ａ、情報機器Ｂ、情報機器Ｃ単体ではダウンロードの速度は遅いが、並列ダウンロードすることで、速度が上がり、間断なく映像が再生できる。
【００９２】
次に、この第４実施形態の表示装置１Ｄの制御方法について、図８Ａ、図８Ｂに示すフローチャートを用いて説明する。図８Ａは、第４実施形態の表示装置に複数の情報機器を接続して画面表示するまでの制御手順を示すフローチャートであり、図８Ｂは、図８Ａにおいて表示されたアプリを選択処理する制御手順を示すフローチャートである。
【００９３】
図８Ａに示すように、表示装置１Ｄに情報機器Ａ、Ｂ、Ｃを接続する処理を開始すると、情報機器を接続する手段を介してそれぞれの情報機器を接続してステップＳ４１の新しい機器が接続されたか否かを確認する（接続工程）。
【００９４】
ステップＳ４１で、新しい情報機器が接続されたことが確認されると図のＹ方向に進み、ステップ４２の、機器に登録されている全てのアプリケーションについての情報を取得する処理を行う。ここでいうアプリケーションについての情報とは、当該アプリケーションに応じた表示情報であり、また、アプリケーションの種類や属性などの当該アプリケーションを特定する情報（アプリ情報）であって、名称、アイコン画像、アプリケーション内容の説明、提供元の機器名称などを含む。
【００９５】
ステップ４１で、新たに接続する情報機器が確認されない場合には図のＮ方向に進み、再度ステップ４１に戻る。また、表示装置１Ｄは、これらのアプリ情報を表示する表示情報（例えば、アイコン画像）と対応させて記憶する。
【００９６】
それから、それぞれの情報機器が有するアプリケーションに応じた表示情報（例えば、アイコン画像）を表示部に表示する（ステップＳ４３）。このステップＳ４３では、表示装置１Ｄ（例えばＴＶ装置）に既に登録されているアプリ情報と新規に登録したアプリ情報を統合して表示順を決定する処理、および、新規に取得したアプリケーションが既存のものと重複しているか否かの判定と、重複している場合には、予め定めた優先度に応じて一つのアプリケーションのみを表示する処理を行うようにしている。
【００９７】
この優先度は前述したように、重複するアプリケーションを有する当該情報機器の性能、使用頻度（表示装置：例えばＴＶ装置に接続する回数でもよい）に応じて、もしくはユーザーが指定する選考基準に応じて、予め定めておくとよい。
【００９８】
すなわち、表示装置１Ｄに情報機器Ａ、Ｂ、Ｃをこの順に接続すると、図７に示すように、情報機器Ａ、Ｂ、Ｃが有するアイコン画像ａ１〜ａ１０を全て表示する。
【００９９】
この図８Ａに示す制御手順は、図６Ａに示す制御手順と同じであって、表示装置１Ｄと複数の情報機器とを接続して、画面表示するまでの接続工程と表示工程であり、この両工程の後、アプリケーション確認工程と選択工程と処理操作工程などを行うことになる。
【０１００】
上記のステップＳ４１〜Ｓ４３の処理の後、表示装置１Ｄの表示部１５には、情報機器Ａ、Ｂ、Ｃが有するアプリケーションに対応したアイコン画像（例えば、アイコン）が重複しないように一括に表示される。
【０１０１】
それから、図８Ｂに示すような、ユーザーによる操作に応じてメイン制御部１３が選択処理する処理が実行される。
【０１０２】
まず、ユーザーが表示装置１Ｄの画面操作により、所望のアプリケーションに対応したアイコン画像を選択すると、メイン制御部１３は、ステップＳ５１の、ユーザーがアプリケーションを選択したか否かを検知する処理を実行し、ユーザーがアプリケーションを選択したことを確認すると図のＹ方向に進み、ステップＳ５２の選択工程と起動処理工程を実行する。
【０１０３】
すなわち、このステップＳ５２では、アイコン画像に対応して記憶されているアプリ情報（すなわち、紐付けられている情報）から、提供元の機器を特定し、機器に対する実行命令を出す処理が実行される。また、ステップＳ５１で、ユーザーがアプリケーションを選択したことが確認されないと図のＮ方向に進み、再度ステップＳ５１に戻る。
【０１０４】
また、ステップＳ５２における処理操作開始の際に、選択したアプリが複数の情報機器に登録されており、並列処理可能である場合には、複数機器に対して同時に実行命令を出すようにしている。すなわち、第４実施形態の表示装置１Ｄの制御方法は、選択されたアプリケーションを複数台の情報機器を併用して処理操作させた方が良いか否かを判断する併用判断工程と、複数台の情報機器を併用して処理操作させた方が良いと判断した際には、所定の情報機器を主情報機器として中心的に使用し、他の情報機器を副情報機器として補佐的に使用する並列処理工程を有する。
【０１０５】
このシステムにおいても、選択したアプリが既に他の機器において作動中である可能性もあるので、ステップＳ５３にて、既に別の機器のアプリケーションが作動中か否かを確認する処理を行い、別の機器のアプリケーションが作動中であることが確認されると図のＹ方向に進んで、ステップＳ５４の、既に作動中の機器に対して停止命令を出すとよい。ステップＳ５３で、別の機器のアプリケーションが作動中であることが確認されない場合には図のＮ方向に進み、処理が終了する。
【０１０６】
〈第５実施形態〉
次に、図９を用いて第５実施形態の表示装置１Ｅおよび表示システムＤＳ５について説明する。図９は、本発明の第５実施形態における表示装置１Ｅと情報機器のＧＵＩ表示を示す概略説明図である。
【０１０７】
図９に示す第５実施形態の表示システムＤＳ５は、表示装置１Ｅに情報機器Ａ、情報機Ｂ、情報機器Ｃの３台の情報機器を同時に接続して、表示装置１Ｅの表示部１５に情報機器Ａ、Ｂ、Ｃが有するアプリケーションを同時に表示すると共に、重複する表示は行わず、いずれか一つを選択して表示して、アプリケーションの確認と選択と処理操作ができるようにしている点は、前述した表示システムＤＳ３と同じである。ただし、表示部１５に表示するアイコン画像は、それぞれ対応する情報機器毎に区分けされた表示エリア毎に色分けして表示され、当該アプリを有する保有元の情報機器の表示画面を色分け表示された色と同一色に表示している点が異なる。
【０１０８】
上記構成の表示装置１Ｅおよび表示システムＤＳ５によれば、表示部１５に表示されたエリアと、この表示エリアに対応する情報機器とを容易に認識できて、所望のアプリケーションがどの情報機器が有するアプリケーションかを容易に確認できる。
【０１０９】
すなわち、第５実施形態の表示装置１Ｅは、それぞれの情報機器が有するアプリケーションが同一であるか否かを判定し、同じアプリケーションを有していると判定した際には、重複する表示は行わず、いずれか一つを選択して表示する機能と、表示したアプリケーションがいずれの情報機器に属するかを明示する機能を有する。
【０１１０】
従って、表示装置１Ｅが有するアプリ表示手段は、それぞれの情報機器が有するアプリケーションが同一であるか否かを判定する判定機能と、同じアプリケーションを有していると判定した際には、重複する表示は行わず、いずれか一つを選択して表示する選択表示機能と、表示したアプリケーションがいずれの情報機器に属するかを識別して明示する識別明示機能を有する。
【０１１１】
例えば、図９に示すように、情報機器Ａは、アイコン画像ａ１〜ａ６に対応する６個のアプリケーションを有し、情報機器Ｂは、アイコン画像ａ５〜ａ９に対応する５個のアプリケーションを有し、情報機器Ｃは、アイコン画像ａ８〜ａ１０に対応した３つのアプリケーションを有している。
【０１１２】
すなわち、情報機器Ａと情報機器Ｂとは、アイコン画像ａ５およびａ６に対応する２個の同じアプリケーションを有し、同じく、情報機器Ｂと情報機器Ｃとは、アイコン画像ａ８およびａ９に対応する２個の同じアプリケーションを有する。
【０１１３】
そこで、表示装置１Ｅは、前述した判定機能と選択表示機能を有するアプリ表示手段を介して、重複する表示は行わず、いずれか一つを選択して表示する構成としている。また、アプリ表示手段が有する識別明示機能を介して、どのアプリケーションがどの情報機器に由来するものかを識別可能に色分け明示する。
【０１１４】
例えば、図９に示すように、表示装置１Ｅの表示部１５のアイコン画像ａ１〜ａ６を表示している表示エリア１５Ａを第１色で表示し、アイコン画像ａ７〜ａ９を表示している表示エリア１５Ｂを第２色で表示し、アイコン画像ａ１０を表示している表示エリア１５Ｃを第３色で表示する。
【０１１５】
また、アイコン画像ａ１〜ａ６を保有する情報機器Ａの表示画面を同じく第１色表示し、アイコン画像ａ７〜ａ９を保有する情報機器Ｂの表示画面を同じく第２色表示し、アイコン画像ａ１０を保有する情報機器Ｃの表示画面を同じく第３色表示するとさらに好ましい。
【０１１６】
この構成であれば、ユーザーが所望するアプリケーションがどの情報機器に由来するものかを容易に識別できるので、ユーザーにとって使用勝手がよくなりユーザビリティが向上する。
【０１１７】
次に、この第５実施形態の表示装置１Ｅの制御方法について、図１０Ａ、図１０Ｂに示すフローチャートを用いて説明する。図１０Ａは、第５実施形態の表示装置に複数の情報機器を接続して画面表示するまでの制御手順を示すフローチャートであり、図１０Ｂは、図１０Ａにおいて表示されたアプリを選択処理する制御手順を示すフローチャートである。
【０１１８】
図１０Ａに示すように、表示装置１Ｅに情報機器Ａ、Ｂ、Ｃを接続する処理を開始すると、情報機器を接続する手段を介してそれぞれの情報機器を接続してステップＳ６１の新しい機器が接続されたか否かを確認する（接続工程）。
【０１１９】
ステップＳ６１で、新しい情報機器が接続されたことが確認されると図のＹ方向に進み、ステップＳ６２の、機器に登録されている全てのアプリケーションについての情報を取得する処理を行う。ここでいうアプリケーションについての情報とは、当該アプリケーションに応じた表示情報であり、また、アプリケーションの種類や属性などの当該アプリケーションを特定する情報（アプリ情報）であって、名称、アイコン画像、アプリケーション内容の説明、提供元の機器名称などを含む。
【０１２０】
ステップＳ６１で、新たに接続する情報機器が確認されない場合には図のＮ方向に進み、再度ステップＳ６１に戻る。また、表示装置１Ｅは、これらのアプリ情報を表示するアイコン画像と対応させて記憶する。
【０１２１】
それから、それぞれの情報機器が有するアプリケーションに応じたアイコン画像を表示部に表示する（ステップＳ６３）。このステップＳ６３では、表示装置１Ｅ（例えばＴＶ装置）に既に登録されているアプリ情報と新規に登録したアプリ情報を統合して表示順を決定する処理、および、新規に取得したアプリケーションが既存のものと重複しているか否かの判定と、重複している場合には、予め定めた優先度に応じて一つのアプリケーションのみを表示する処理を行う。
【０１２２】
この優先度は前述したように、重複するアプリケーションを有する当該情報機器の性能、使用頻度（表示装置：例えばＴＶ装置に接続する回数でもよい）に応じて、もしくはユーザーが指定する選考基準に応じて、予め定めておくとよい。
【０１２３】
また、ステップＳ６４で、どの機器のアプリケーションが登録されたか判るように、機器毎に色を割り当て、表示エリアを区分し表示する。同時に、機器に対して割り当てた色を通知し、機器の表示エリアを通知した色で表示させる構成としている。
【０１２４】
すなわち、表示装置１Ｅに情報機器Ａ、Ｂ、Ｃをこの順に接続すると、図９に示すように、情報機器Ａが有するアイコン画像ａ１〜ａ６、情報機器Ｂが有するアイコン画像ａ５〜ａ９、情報機器Ｃが有するアイコン画像ａ８〜ａ１０から、重複するアプリケーションを判定して、いずれか一つを選択してアイコン画像ａ１〜ａ１０の順に表示する。
【０１２５】
この図１０Ａに示す制御手順は、表示装置１Ｅと複数の情報機器とを接続して、画面表示するまでの接続工程と表示工程であり、この両工程の後、アプリケーション確認工程と選択工程と処理操作工程などを行うことになる。
【０１２６】
上記のステップＳ６１〜Ｓ６４の処理の後、表示装置１Ｅの表示部１５には、情報機器Ａ、Ｂ、Ｃが有するアプリケーションに対応した表示情報（例えば、アイコン画像）が重複しないように一括に、また、由来する情報装置毎に対応して色分けして表示される。
【０１２７】
それから、図１０Ｂに示すような、ユーザーによる操作に応じてメイン制御部１３が選択処理する処理が実行される。
【０１２８】
まず、ユーザーが表示装置１Ｅの画面操作により、所望のアプリケーションに対応したアイコン画像を選択すると、メイン制御部１３は、ステップＳ７１の、ユーザーがアプリケーションを選択したか否かを検知する処理を実行し、ユーザーがアプリケーションを選択したことを確認すると図のＹ方向に進み、ステップＳ７２の選択工程と起動処理工程を実行する。
【０１２９】
すなわち、このステップＳ７２では、アイコン画像に対応して記憶されているアプリ情報（すなわち、紐付けられている情報）から、提供元の機器を特定し、機器に対する実行命令を出す処理が実行される。また、ステップＳ７１で、ユーザーがアプリケーションを選択したことが確認されないと図のＮ方向に進み、再度ステップＳ７１に戻る。
【０１３０】
また、選択したアプリが既に他の機器において作動中である可能性もあるので、ステップＳ７３にて、既に別の機器のアプリケーションが作動中か否かを確認する処理を行い、別の機器のアプリケーションが作動中であることが確認されると図のＹ方向に進んで、ステップＳ７４の、既に作動中の機器に対して停止命令を出すとよい。
【０１３１】
ステップＳ７３で、別の機器のアプリケーションが作動中であることが確認されない場合には図のＮ方向に進み、処理が終了する。
【０１３２】
上記で説明した表示装置１、１Ａ〜１Ｅは、大きな画面を有する表示装置が好ましいので、大画面化が進んでいるＴＶ装置の表示装置であってもよい。この構成によると、家庭用のＴＶ装置を用いて、複数の情報機器が有するアプリケーションを一括に表示して容易に確認でき、所望のアプリを容易に使用できる。すなわち、本実施形態によれば、複数の情報機器を同時に接続可能で、それぞれの情報機器が有するアプリ情報を一括に表示して、アプリケーションの確認を容易にし、当該アプリケーションを起動させることが可能になるＴＶ装置を得ることができる。
【０１３３】
例えば、図１１に示すように、ＴＶ放送を受信するアンテナ１０２とＴＶ受信部１０１を備えたＴＶ装置１００に、前述した無線通信部１１、有線通信部１２、メイン制御部１３（ＣＰＵ）、記憶部１４、表示部１５、音声出力部１６、入力受信部１７を一体に設けた構成とする。メイン制御部１３（ＣＰＵ）は、前述したアプリケーションの確認処理と起動処理の一連の処理を制御すると共に、ＴＶ放送を受信して視聴する一連の処理を制御する。
【０１３４】
上記構成のＴＶ装置１００であれば、ＴＶ放送を視聴する従来の使用に加えて、ユーザーが保有する複数の情報機器が有するアプリケーションの確認を大きな画面上で行うことができ、所望のアプリケーションの容易に起動させることが可能になる。
【０１３５】
また、ＴＶ装置１００の表示画面を表示部１５としてアプリ処理やアプリ処理を行うことも可能であり、さらにユーザビリティが向上する。
【０１３６】
さらに、前述した各機能を有する信号処理装置を介して、従来のＴＶ装置を表示部として用いる構成であってもよい。例えば、図１２に示すようにＴＶ装置１１０に接続する信号処理装置１０が、複数の情報機器を接続する接続機能と、複数の情報機器が有するアプリケーションに関するアプリ情報を取得し、それぞれのアプリ情報に応じた一つの表示情報を表示装置（ＴＶ装置１１０）に表示させるアプリ表示機能と、表示装置に表示された表示情報から所望のアプリケーションを選択する選択機能と、選択されたアプリケーションを有する情報機器に対して当該アプリケーションの起動指令を発する起動処理機能と、を有する構成も本発明構成と言える。
【０１３７】
信号処理装置１０は、無線通信部１１と有線通信部１２とメイン制御部１３と記憶部１４と入力受信部１７を有しており、それぞれの通信部は、それぞれ複数の情報機器を同時に接続可能とされる。メイン制御部１３（ＣＰＵ）は、前述したアプリケーションの確認処理と起動処理の一連の処理を制御すると共に、ＴＶ装置１１０が有するＴＶ制御部１０３と通信可能であり、ＴＶ装置１１０の表示部１５に表示する画像や映像を制御する。従って、複数の情報機器が有するアプリケーションに関するアプリ情報を表示部１５に表示させ、表示部１５上での操作により所望のアプリケーションを選択し、起動指令を発するまでの一連の処理を制御することができる。
【０１３８】
上記の構成であれば、上記の各種機能を有する信号処理装置１０を従来のＴＶ装置１１０に接続するだけで、複数の情報機器が有する複数のアプリケーションを一括に確認でき、所望のアプリ処理やアプリ処理を行うことが可能になる。この信号処理装置１０は、従来のＴＶ装置に接続して用いるレコーダーやＳＴＢ（セットトップボックス）などであってもよく、新たに設ける装置であってもよい。
【０１３９】
上記したように、本発明の第１実施形態によれば、複数の情報機器を同時に接続して、それぞれの情報機器が保有するアプリケーションに関するアプリ情報に応じた一つの表示情報を一括に表示して、表示したアプリケーションの中から所望のアプリケーションを選択可能にし、選択したアプリケーションを起動可能にする構成の表示装置および表示システムとしたので、それぞれの情報機器が有するアプリケーションの確認と処理操作を容易に行うことが可能になる。
【０１４０】
また、本発明の第２実施形態によれば、表示装置の大きな画面上に表示したアプリケーションに応じた表示情報を選択すると他のアプリ情報が表示される構成の表示装置および表示システムとしたので、アプリケーションの内容を大きな画面上で容易に確認することができ、所望のアプリケーションを間違いなく見つけ出して使用することができる。
【０１４１】
また、本発明の第３実施形態によれば、それぞれの情報機器が保有するアプリケーションに対応した表示情報を一括に表示する際に、重複するアプリケーションはいずれか一つのみを選択して表示する構成の表示装置および表示システムとしたので、表示装置の表示部に表示するアプリケーションの数が不用意に増加することを抑制してユーザビリティを確保できる。
【０１４２】
また、本発明の第４実施形態によれば、複数の情報機器を並列使用可能なアプリケーションを使用する場合には、同一のアプリを有する複数の情報機器を併用する構成の表示装置および表示システムとしたので、複数の情報機器を効率よく使用してアプリ処理を実行できるので、ユーザビリティがさらに向上する。
【０１４３】
また、本発明の第５実施形態によれば、それぞれの情報機器が保有するアプリケーションに対応した表示情報を一括に表示する際に、情報機器毎に区分けされた表示エリア毎に色分けして表示する構成の表示装置および表示システムとしたので、ユーザーは、アプリケーションと情報機器との対応関係を容易に確認できるので、外出する際には、所望のアプリケーションが実行可能な情報機器を間違いなく携帯することができ、ユーザビリティがさらに向上する。
【０１４４】
また、上記構成の表示装置を備えたＴＶ装置、もしくは、他の表示装置に接続されて上記の各機能を発揮する信号処理装置であれば、大型化が進んでいる家庭用のＴＶ装置を用いて、小型の情報機器が有する複数のアプリケーションを一括に確認でき、所望のアプリ処理やアプリ処理を行うことが可能になるので、さらにユーザビリティが向上する。
【０１４５】
なお、今回開示された実施形態は、全ての点で例示であって制限的なものではないと考えられるべきである。本発明の範囲は、上記した実施形態の説明ではなく特許請求の範囲によってしめされ、さらに特許請求の範囲と均等の意味および範囲内での全ての変更が含まれる。
【０１４６】
例えば、表示装置と情報機器とを接続する接続手段として、無線通信部と有線通信部とを用いて説明したが、本発明はこれに限らず、情報機器本体をプラグイン方式にて接続して通信可能に接続する構成であってもよい。
【０１４７】
また、表示装置に３台の情報機器を接続した構成を用いて説明したが、本発明はこれに限らず、２台でもよく、４台以上の複数台であってもよい。
【０１４８】
また、アプリケーションに応じた表示情報としてアイコン画像を用いて説明したが、本発明はこれに限らず、アプリケーションの名称を表示したテキスト表示でも、サムネイル画像であってもよい。
【０１４９】
また、複数の情報機器が有するアプリケーションを一括に表示するとして説明したが、本発明はこれに限らず、アプリケーションをジャンル別に区分けして表示してもよく、また、スクロール方式に閲覧可能に表示してもよい。
【０１５０】
上記したように、本発明によれば、複数の情報機器を同時に接続可能で、それぞれの情報機器が有するアプリ情報を一括に表示可能で、アプリケーションの確認を容易にし、当該アプリケーションを起動させることも可能にする表示装置、表示システム、表示装置の制御方法および信号処理装置を得ることができる。
【産業上の利用可能性】
【０１５１】
そのために、本発明に係る表示装置、表示システム、表示装置の制御方法、信号処理装置は、表示画面が小さい携帯型情報端末に保有しているアプリケーションの確認と選択と処理操作を、大きな画面を介して容易に行うことが求められる際に好適に適用することができる。
【符号の説明】
【０１５２】
１、１Ａ〜１Ｅ    表示装置
２    サーバ
１０    信号処理装置
１１    無線通信部
１２    有線通信部
１３    メイン制御部
１４    記憶部
１５    表示部
１５Ａ、１５Ｂ、１５Ｃ  表示エリア
１８    入力装置
１００    ＴＶ装置
１１０    ＴＶ装置
ａ１〜ａ１４    アイコン画像
ＤＳ１〜ＤＳ５    表示システム）
Ｐ    ポインタ
【図１】
2014119876.tif 000003
【図２】
2014119876.tif 000004
【図３Ａ】
2014119876.tif 000005
【図３Ｂ】
2014119876.tif 000006
【図４】
2014119876.tif 000007
【図５】
2014119876.tif 000008
【図６Ａ】
2014119876.tif 000009
【図６Ｂ】
2014119876.tif 000010
【図７】
2014119876.tif 000011
【図８Ａ】
2014119876.tif 000012
【図８Ｂ】
2014119876.tif 000013
【図９】
2014119876.tif 000014
【図１０Ａ】
2014119876.tif 000015
【図１０Ｂ】
2014119876.tif 000016
【図１１】
2014119876.tif 000017
【図１２】
2014119876.tif 000018